(57)【要約】【課題】指針の発光部分のデザインおよび輝度を一様として指針の見映えを良好なものとしつつ、指針の一部を透明として文字盤の視認性を高められる指針計器を提供する【解決手段】指針７照明用の光を指針７の側面７ｂから指針７内に入射させるとともに、指針７の底面７ａに赤色着色層Ｒを設け、それを途中で中断して透明な中断部Ｍを設け、中断部Ｍを文字盤２の数字２ａと視認方向に重なるように形成した。これにより、指針７の発光部分の見映え、つまり赤色着色層Ｒの明るさを一様とし且つその見映えを連続した一体的なデザインとして、指針７の見映えを良好なものとしつつ、文字盤２の表示意匠である数字２ａの視認性を高めることができるスピードメータＳを提供することができる。【選択図】図１
2008209351.tif 000002
【特許請求の範囲】
【請求項１】
表示意匠を備えた文字盤と、
前記文字盤の前面側に配置され前記文字盤の表面に沿って回動する透光性材質から形成された指針と、
光源とを備え、
前記光源からの光を文字盤の前面側且つ前記文字盤の前記指針の回動範囲外から前記指針の側面から前記指針に入射させて前記指針を発光表示する指針計器であって、
前記指針は前記指針の長手方向に沿って形成され且つ前記光源から発せられ前記指針内に入射した光を前面側へ反射する反射手段を備え、
前記指針は前記反射手段が前記指針の長手方向において中断され前記反射手段が施されていない中断部を備え、
前記中断部を透過して前記文字盤を視認可能であることを特徴とする指針計器。
【請求項２】
前記中断部は前記表示意匠の内少なくとも数字と前記文字盤の視認方向において重なることを特徴とする請求項１に記載の指針計器。
【請求項３】
前記反射手段は前記指針の前記文字盤と対向する面である底面に設けられた凹部であることを特徴とする請求項１または請求項２に記載の指針計器。
【請求項４】
前記反射手段は前記指針の前記文字盤と対向する面である底面に設けられた拡散反射層であることを特徴とする請求項１または請求項２に記載の指針計器。
【請求項５】
前記拡散反射層は着色層またはシボであることを特徴とする請求項４に記載の指針計器。
【請求項６】
前記指針の前記側面において前記中断部に対応する部分に透光性着色層を施したことを特徴とする請求項１ないし請求項５のいずれか一つに記載の指針計器。
【請求項７】
前記文字盤において前記表示意匠は白色等の明色で表示され且つ前記表示意匠の背景部分は黒色等の暗色で表示されることを特徴とする請求項６に記載の指針計器。
【発明の詳細な説明】
【技術分野】
【０００１】
本発明は、たとえば自動車の運転席に設置される指針計器に関するものであり、特に指針が光源からの光によって発光表示される発光指針を備えるものに関する。
【背景技術】
【０００２】
従来の指針計器として、たとえば、文字盤の表面側に指針を配置し、指針の回転中心側に光源を内蔵し、この指針はその長手方向に伸びる溝と該溝の底部に施された透光性着色層とを備え、指針内を長手方向に進行する光源からの光を溝の底部で反射して発光させる構造のものがある（特許文献１参照）。
【０００３】
この指針計器においては、溝の指針の先端側端部を視認方向において文字盤の表示意匠と重なる直前までとし、指針の先端に指針内を進行してきた光源からの光を前面側に反射させる反射面を設けている。これにより、指針の溝、つまり発光表示される部分が文字盤の表示意匠と重なり表示意匠の視認性が低下することを抑制している。また、指針の先端部の反射面が発光表示されることにより、指針はその先端まで指針として認識されるので、指針自体の視認性も良好なものにできる。
【特許文献１】特開２００３−８３７７７号公報
【発明の開示】
【発明が解決しようとする課題】
【０００４】
上述の従来の指針計器においては、溝部と先端の反射部との見映え、たとえば輝度が異なるため、指針全体が一様な見映え、つまり指針の発光表示される部分が統一されたデザインとして見えず、指針計器全体の見映えが低下する可能性がある。
【０００５】
この問題を解決するために、従来の指針計器において、指針の先端側の表示意匠と重ならない部分に元の溝の延長上に同様の溝を形成して、発光表示される部分の形状を統一することが考えられる。しかしながら、従来の指針計器では、光源からの光が指針内を指針の長手方向に進行する。そのため、指針の溝が途切れた部分、すなわち文字盤の表示意匠と重なる部分において、指針内を進行してきた光がそこから外部へ出射してしまい、先端側の溝の発光輝度が低下してしまう。この場合、発光表示部分のデザイン、特に形状や色は統一できるものの発光輝度が異なり、やはり指針計器全体の見映えが低下する可能性がある。
【０００６】
本発明は、上記の問題点に鑑みなされたもので、発光指針の発光表示部分のデザインおよび発行輝度を一様なものとして指針の見映えを良好なものとしつつ、指針の一部を透明として文字盤の表示意匠の視認性を高めることができる指針計器を提供することを目的とする。
【課題を解決するための手段】
【０００７】
本発明は上記目的を達成する為、以下の技術的手段を採用する。
【０００８】
本発明の請求項１に記載の指針計器は、表示意匠を備えた文字盤と、文字盤の前面側に配置され文字盤の表面に沿って回動する透光性材質から形成された指針と、光源とを備え、光源からの光を文字盤の前面側且つ文字盤の指針の回動範囲外から指針の側面から指針に入射させて指針を発光表示する指針計器であって、指針は指針の長手方向に沿って形成され且つ光源から発せられ指針内に入射した光を前面側へ反射する反射手段を備え、指針は反射手段が指針の長手方向において中断され反射手段が施されていない中断部を備え、中断部を透過して文字盤を視認可能であることを特徴としている。
【０００９】
このような構成によれば、指針の反射手段は、文字盤の表面に沿って進行し指針の側面から指針内に入射した光源からの光を反射して発光表示される。この場合、指針側面への入射光量、つまり側面の単位面積当たりの入射光量はほぼ一様となるので、反射手段の発光輝度もその全長にわたりほぼ一様となる。すなわち、反射手段が施されていない中断部の両側の反射手段の発光輝度が同一となるので、指針の発光表示される部分のデザイン的見映えを連続した一体的なものとして視認させることができる。また、中断部を透過して文字盤を視認可能としたことにより、指針の反射手段に遮られずに文字盤、たとえば表示意匠等を視認させることができる。
【００１０】
以上により、発光指針の発光表示部分のデザインおよび発行輝度を一様なものとして指針の見映えを良好なものとしつつ、文字盤の表示意匠の視認性を高めることができる指針計器を提供することができる。
【００１１】
本発明の請求項２に記載の指針計器は、中断部は表示意匠の内少なくとも数字と文字盤の視認方向において重なることを特徴としている。
【００１２】
これにより、指針計器の表示意匠、少なくとも特に重要な表示意匠の要素である数字が指針の発光表示される部分に遮られて見え難くなることを確実に防止することができる。
【００１３】
本発明の請求項３に記載の指針計器は、反射手段は指針の文字盤と対向する面である底面に設けられた凹部であることを特徴としている。
【００１４】
このような構成によれば、指針に入射した光は凹部の壁面で反射し、その反射光が指針として視認される。また、凹部は、指針を透光性樹脂材料により成型加工して形成する場合、型により容易に形成することができる。したがって、反射手段を容易に指針に設けることができる。
【００１５】
本発明の請求項４に記載の指針計器は、反射手段は指針の文字盤と対向する面である底面に設けられた拡散反射層であることを特徴としている。
【００１６】
このような構成によれば、指針に入射した光は拡散反射層で反射し、その反射光が指針として視認される。また、拡散反射層は、指針の底面に容易に施すことができる。したがって、反射手段を容易に指針に設けることができる。
【００１７】
この場合、本発明の請求項５に記載の指針計器のように、拡散反射層を着色層またはシボとすれば、着色層は、塗装あるいは印刷により形成でき、シボは成型加工等により形成できるので、反射手段を容易に指針に設けることができる。
【００１８】
本発明の請求項６に記載の指針計器は、指針の側面において中断部に対応する部分に透光性着色層を施したことを特徴としている。
【００１９】
指針側面の中断部に対応した部分から指針内に光源からの光が入射すると、この光は中断部内で拡散反射して、その一部は指針の底面から出射して文字盤を照射する。ここで、中断部が文字盤に設けられた表示意匠、たとえば数字等と重なる位置に形成されている場合は、指針と重なる、つまり中断部と重なる数字は上述した光に照射される。これにより、中断部と重なった数字、つまり指針により指示される数字は、指針と重ならない他の数字と明るさ等が異なる見映えとなる。これにより、指針計器の見映えを斬新なものとすることができる。
【００２０】
この場合、本発明の請求項７に記載の指針計器のように、表示意匠が白色等の明色で表示され且つ文字盤の表示意匠の背景部分が黒色等の暗色で表示される構成とすれば、中断部と重なった数字、つまり指針により指示される数字を、指針と重ならない他の数字とは異なる見映えにできる効果をより顕著なものにできる。すなわち、中断部から出射して文字盤を照射する光は、指針の透光性着色層の色に着色されている。しかし、指針が文字盤の背景部部上にあるときは、背景部分が暗色であるため中断部から出射する着色光の色はほとんど視認されず、他の背景部分と見映えが変わらない。ところが、指針が表示意匠、たとえば数字等と重なると、数字が明色のため、数字は透光性着色層による着色光に照射されて着色光の色で視認される。つまり指針計器と重なった数字のみ色が変わって見える。これにより、指針計器の見映えを、さらに斬新なものとすることができる。
【発明を実施するための最良の形態】
【００２１】
以下、本発明による指針計器を、自動車に搭載されるコンビネーションメータ１００に組み込まれたスピードメータＳに適用した場合を例に図面に基づいて説明する。
【００２２】
（第1実施形態）
コンビネーションメータ１は、自動車の運転席前方の運転者から視認可能な位置に設置されている。スピードメータＳは、このコンビネーションメータ１００内に形成され、当該自動車の走行速度を指針の回動角度により指示するものである。
【００２３】
以下に、スピードメータＳの構成について説明する。
【００２４】
スピードメータＳは、大きくは、文字盤２、文字盤２の前面側に配置された指針７、指針を発光表示するための光源である発光ダイオード４、発光ダイオード４からの光を指針７へ導く導光板３、指針７を回転させるムーブメント６等から構成されている。
【００２５】
文字盤２は、透光性材質、たとえば無色透明のポリカーボネート樹脂あるいはアクリル樹脂等の薄板から形成されている。文字盤２は、自動車の走行速度を指示するための表示意匠である数字２ａおよび目盛２ｂを備えている。数字２ａおよび目盛２ｂは、文字盤２の表面２ｃ（図２において左側の面）に印刷あるいはホットスタンプ等を施すことにより形成されている。すなわち、文字盤２の数字２ａおよび目盛２ｂ以外の部分である背景部分２ｅに不透光性着色層あるいは半透光性着色層を設けると共に、数字２ａおよび目盛２ｂを透明なままとする、あるいは半透光性着色層を設ける等の処理を施している。本発明の第１実施形態によるスピードメータＳにおいては、背景部分２ｅは暗色とされる、つまり不透光性黒色着色層が施されるとともに、数字２ａおよび目盛２ｂは明色とされる、つまり半透光性白色着色層が施されている。これにより、文字盤２が、その裏側から光源が発する光により照射されて透過照明されると、背景部分２ｅはこの光を遮断するので黒色で視認され、一方、数字２ａおよび目盛２ｂは白色で発光表示される。本発明の第１実施形態よるスピードメータＳでは、文字盤２照明専用の光源は設けず、後述する指針７照明用の光源である発光ダイオード４を文字盤２の照明用としても兼用している。なお、指針７照明用の発光ダイオード４を文字盤２照明に兼用せずに、文字盤２照明専用の独立した光源を別に設けてもよい。文字盤２の中央部には、後述するムーブメント６のシャフト６ａあるいは指針７のボス部を挿通させるための貫通孔２ｄが設けられている。指針７の回動範囲はこの貫通孔２ｄとほぼ同軸上の円形（正確には扇型）となるが、文字盤２の外周は、上述した指針７の回動範囲の外側に位置している。
【００２６】
文字盤２の背後には、図２に示すように、指針７を照明する光源である発光ダイオード４が配置されている。発光ダイオード４としては、たとえば発光色が白色の白色発光ダイオードが用いられている。
【００２７】
文字盤２の背後には、図２に示すように、発光ダイオード４が発する光を文字盤２の前面側且つ文字盤２の指針７の回動範囲外へ導き、そこから指針７の側面７ａに向けて光を出射させる導光板３が配置されている。導光板３は、たとえば無色透明のポリカーボネート樹脂あるいはアクリル樹脂等から、文字盤２と同心上の略円盤状に形成されている。導光板３の外周側には環状の壁が、図２に示すように、文字盤２の前面側に突き出しており、この突き出し部分には、図２に示すように、出射面３ｂが形成されている。出射面３ｂは円筒面状に形成され、その直径は文字盤２の直径とほぼ等しく形成されている。すなわち、文字盤２の外周縁が円筒面状の出射面３ｂに嵌合している。したがって、出射面３ｂは、文字盤２の表示意匠である目盛２ｂよりも外周側に配置されていることになる。導光板３の裏面、つまり文字盤２と反対側の面の中央部付近には、図２に示すように、発光ダイオード４が発する光を導光板３内へ導入する受光部３ａが設けられている。受光部３ａは、本発明の第１実施形態によるコンビネーションメータ１においては、略球面状に形成されている。これにより、発光ダイオード４から放射状に発せられた光の大部分を導光体３の反射面３ｃに導くことができる。受光部３ａは、発光ダイオード４に対向して設けられている。発光ダイオード４から発せられた光は、図２中において矢印で示すように進行して、導光体３内を経て、一部は上述した出射面３ｂから出射し文字盤２の表面２ｃに沿って文字盤２の中心に向かって進行する。また、一部は導光体３内で反射を繰り返して文字盤２の裏面へ入射して、文字２ａおよび目盛２ｂを透過照明する。受光部３ａの個数、すなわち発光ダイオード４の個数は、後述する指針７の良好な視認性が得られること、つまり出射面３ｂから文字盤２の中心に向けて出射する光量が円筒面状の出射面３ｂの全域に亘って均一であること、数字２ａおよび目盛２ｂが均一な明るさで発光表示されことが実現できるように設定されている。
【００２８】
文字盤２の背後には、図２に示すように、指針７を回動させるムーブメント６が配置されている。ムーブメント６は、ステッピングモータ、あるいは交差コイル式回転機等の電気アクチュエータからなり、外部からの電気信号（スピードメータＳの場合は、自動車の速度信号）に対応した角度だけシャフト６ａを回動させるものである。ムーブメント６のシャフト６ａの先端には、図２に示すように、指針７が固定されている。
【００２９】
指針７は、透光性材料、たとえば無色透明のポリカーボネート樹脂あるいはアクリル樹脂等により形成されている。指針７は、図２に示すように、ボス部７ｃを介してムーブメント６のシャフト６ａに固定されている。指針７は、図１に示すように、ボス部７ｃを挟んで両側に延出されている。
【００３０】
指針７の文字盤２と対向する面である底面７ａには、図２および図３に示すように、指針７の長手方向に沿って形成された反射手段であり拡散反射層としての赤色着色層Ｒが帯状に設けられている。赤色着色層Ｒは遮光性である。赤色着色層Ｒは、印刷あるいはホットスタンプ等を施して設けられている。指針７のボス部７ｃから目盛２ｂと重なる側の先端までに施された赤色反射層Ｒは、連続した１本ではなく、図１に示すように、その途中で中断されて２つの部分に分かれている。指針７において、赤色着色層Ｒは、図１に示すように、合わせて３つの部分から構成され、それらは一直線上に配置されるとともに、帯状の幅寸法は同一に形成されている。指針７において赤色着色層Ｒが中断された部分である中断部Ｍ、すなわち図１においてハッチングを施した部分は、視認方向から見て、その全体が無色透明であり、したがって、視認者は、中断部Ｍを透過して背後の文字盤２を明瞭に視認することができる。指針７が回転すると、中断部Ｍも一体的に回転する。視認方向から見た中断部Ｍの掃引領域Ｋは、図１中において二点差線で示された略馬蹄形の範囲内となる。文字盤２が備える表示領域の一つである数字２ａは、その全部が視認方向から見て掃引領域Ｋ内に含まれる。これにより、自動車の作動中において指針７と数字２ａが重なった時には、数字２ａは必ず中断部Ｍを透過してその全体形状が良好に視認される。
【００３１】
指針７の側面７ｂの中断部Ｍに対応部分には、図４に示すように、透光性着色層である透光性黄色着色層Ｙが設けられている。透光性黄色着色層Ｙは、印刷あるいはホットスタンプ等を施して設けられている。
【００３２】
指針７は、そのボス部７ｃの前面側に、図２に示すように、装飾手段７ｄを備えている。装飾手段７ｄは、指針７とは別部材から形成して指針７に装着してもよいし、あるいは指針７に印刷、ホットスタンプ、コーティング、メッキ等を施して形成してもよい。
【００３３】
以上説明した、発光ダイオード４、ムーブメント６は、図２に示すように、文字盤２の裏側（図２において右側）に配置されたプリント基板５に実装されている。プリント基板５は、たとえばガラスエポキシ基板等からなり、スピードメータＳを含むコンビネーションメータ１００の電気回路部を形成している。
【００３４】
プリント基板５には、発光ダイオード４の点灯・消灯制御、ムーブメント６の駆動制御を行なうコントローラ１０が実装されている。コントローラ１０は、たとえばマイクロコンピュータ等から構成されている。
【００３５】
以上説明した、文字盤２、導光板３、プリント基板５、ムーブメント６等は、図２に示すように、樹脂材料から成形されるケーシング１１内に収容保持されている。
【００３６】
また、文字盤２の前面側には、図２に示すように、略枠状の見返し板１２が装着され、さらに見返し板１２の先端部には透明カバー１３が装着されている。見返し板１２は、たとえば樹脂材料から形成されている。透明カバー１３は、透明な樹脂の薄板あるいはガラス等から形成されている。見返し板１２および透明カバー１３は、コンビネーションメータ１の見映えを整えると同時に、コンビネーションメータ１内部への埃、水分等の侵入を防止している。
【００３７】
一方、ケーシング１１の背後には、図２に示すように、ロアカバー１４が装着されている。ロアカバー１４は、たとえば樹脂材料から形成されている。
【００３８】
次に、以上説明した、本発明の第１実施形態によるコンビネーションメータ１の電気回路構成および作動について、図６の電気回路構成図に基づいて説明する。
【００３９】
図６に示すように、コントローラ１０には、バッテリ１７から電力が常時供給されている。また、コントローラ１０は、イグニッションスイッチ１６が、その作動状態（ＯＮまたはＯＦＦ）を検出可能に接続されている。
【００４０】
コントローラ１０には、当該自動車の走行速度を検出する速度センサ１５が検出信号を入力可能に接続されている。
【００４１】
一方、コントローラ１０には、その制御対象である、発光ダイオード４、ムーブメント６が接続されている。
【００４２】
運転者によりイグニッションスイッチ１６がＯＮされると、コントローラ１０はイグニッションスイッチ１６がＯＮされたことを検知して、コンビネーションメータ１の表示制御作動を開始する。コントローラ１０は、発光ダイオード４を点灯させ、それにより指針７が赤色で、文字盤２の文字２ａおよび目盛２ｂが白色で発光表示される。同時に、コントローラ１０は、速度センサ１５からの検出信号に基づきムーブメント６を駆動してシャフト６ａを所定角度、すなわち当該自動車の走行速度に対応する角度に回動させて自動車の走行速度を指示する。
【００４３】
運転者によりイグニッションスイッチ１６がＯＦＦされると、コントローラ１０は、そのことを検知して、発光ダイオード４を消灯状態させる。同時に、コントローラ１０は、ムーブメント６の駆動を停止する。
【００４４】
次に、本発明の第１実施形態によるコンビネーションメータ１の特徴である指針７の構成がスピードメータＳの視認性におよぼす作用効果について説明する。
【００４５】
指針７が、導光板３の出射面３ｂから出射し文字盤２の表面２ｃに沿って進行してきた発光ダイオード４が発した光により照射されると、この光は指針７の側面７ｂから指針７内に入射し、図５中に矢印で示すように進行して、赤色着色層Ｒで反射して図３中における上方に、つまり視認方向に進行する。これにより、赤色着色層Ｒが明るく赤色で発光して指針として視認される。
【００４６】
このとき、指針７の側面７ｂは、文字盤２の外周全周から発光ダイオード４からの光によって照射されているので、指針７の側面７ｂに入射する光の光量、つまり側面７ｂにおける単位面積当たりの入射光量は、指針７の全長にわたってほぼ一様となる。これにより、指針７の３個の赤色着色層Ｒの発光輝度はすべて一様となる。これにより、指針７の３個の赤色着色層Ｒ、すなわち、指針７の発光表示される部分のデザイン的見映えを連続した一体的なものとして視認させることができる。同時に、中断部Ｍを透過して文字盤２の表示意匠である数字２ａの全体を視認させることができる。したがって、指針７の発光表示部分の見映え、つまり赤色着色層Ｒのデザインおよび発行輝度を一様なものとして指針７の見映えを良好なものとしつつ、文字盤２の表示意匠である数字２ａの視認性を高めることができるスピードメータＳを提供することができる。
【００４７】
また、指針７の側面７ｂにおいて透光性黄色着色層Ｙに入射した光は、透光性黄色着色層Ｙを透過することにより黄色光となる。この黄色光は、図４中に矢印で示すように進行して、指針７の底面７ａから文字盤２に向かって出射して文字盤２を照射する。ここで、指針７が数字２ａと重ならない角度位置、言い換えると背景部分２ｅと重なっているときは、背景部分２ｅが黒色であるので、指針７の中断部Ｍから黄色光により照射されても、中断部Ｍを透過して見える背景部分２ｅの色は変わらずに黒色である。一方、指針７が数字２ａと重なる角度位置にあるときは、数字２ａは白色であるので、中断部Ｍを透過して見える数字２ａは、指針７の中断部Ｍから照射された黄色光により着色されて、黄色で視認される。すなわち、文字盤２において、数字２ａが白色で発光表示されるとともに、指針７と重なった数字２ａ、言い換えると指針７により指示された物理量を示す数字２ａの発光色を黄色に変化させることができる。これにより、スピードメータＳの見映えを斬新なものとすることができる。
【００４８】
なお、以上説明した、本発明の第１実施形態によるスピードメータＳにおいては、指針７の裏面７ａに形成される反射手段としての拡散反射層を赤色着色層Ｒとしているが、赤色に限る必要はなく、他の色、たとえば白色、橙色等であってもよい。また、拡散反射層を着色層に限定する必要はなく、他の種類の拡散反射層、たとえばシボ等を形成してもよい。
【００４９】
（第２実施形態）
図６は、本発明の第２実施形態によるスピードメータＳの指針７の断面図である。部分拡大図であり、図１中のＩＩＩ−ＩＩＩ線断面図に相当する。
【００５０】
本発明の第２実施形態によるスピードメータＳは、本発明の第１実施形態によるスピードメータＳに対して、指針７が備える反射手段を変更している。本発明の第２実施形態によるスピードメータＳでは、反射手段として底面７ａに、図６に示すように、凹部Ｔを設けている。凹部Ｔは、図６に示すように、断面形状逆Ｖ字状に形成され、指針７の長手方向に伸びる２つの反射面７ｆから構成されている。本発明の第２実施形態によるスピードメータＳは、指針７の赤色着色層Ｒを凹部Ｔに置き換えた以外の構成は、本発明の第１実施形態によるスピードメータＳと同一である。
【００５１】
この場合、導光板３の出射面３ｂから出射し文字盤２の表面２ｃに沿って進行してきた光が指針７の側面７ｂから指針７内に入射すると、この光は反射面７ｆで反射して図６における上方に向かって、つまり視認者に向かって進行する。これにより、凹部Ｔを形成する反射面７ｆが発光ダイオード４の発光色、すなわち白色で発光して指針として視認される。また、凹部Ｔの明るさは、指針７の全長に亘って一様である。
【００５２】
本発明の第２実施形態によるスピードメータＳにおいても、本発明の第１実施形態によるスピードメータＳの場合と同様の効果が得られる。すなわち、指針７の３個の凹部Ｔのデザイン的見映えを連続した一体的なものとして視認させると同時に、中断部Ｍを透過して文字盤２の表示意匠である数字２ａの全体を視認させて、指針７の発光表示部分の見映え、つまり凹部Ｔのデザインおよび発行輝度を一様なものとして指針７の見映えを良好なものとしつつ、文字盤２の表示意匠である数字２ａの視認性を高めることができるスピードメータＳを提供することができる。さらに、文字盤２において、指針７と重なった数字２ａ、言い換えると指針７により指示された物理量を示す数字２ａの発光色を黄色に変化させて、スピードメータＳの見映えを斬新なものとすることができる。
【００５３】
なお、以上説明した本発明の第２実施形態によるスピードメータＳにおいては、反射手段として底面７ａに設けた凹部Ｔの断面形状を略逆Ｖ字状としているが、これに限る必要はなく、他の形状、例えば半円形上、逆Ｕ字状等としてもよい。
【００５４】
なお、以上説明した本発明の第１、第２実施形態によるスピードメータＳにおいては、指針７の側面７ｂに施した透光性着色層の色を黄色としているが、他の色としてもよい。
【００５５】
また、以上説明した本発明の第１、第２実施形態によるコンビネーションメータ１においては、指針７および文字盤２照明用の光源として発光ダイオード４を用いているが、他の種類の光源、たとえば電球、放電管、ＥＬパネル等を用いても良い。
【００５６】
また、以上説明した本発明の第１、第２実施形態によるコンビネーションメータ１においては、指針計器をスピードメータＳとしているが、他の計器、たとえばエンジンの回転速度を指示するタコメータあるいは残存燃料量を表示する燃料計等としてもよい。
【図面の簡単な説明】
【００５７】
【図１】本発明の第１実施形態によるスピードメータＳの正面図である。
【図２】図１中のＩＩ−ＩＩ線断面図である。
【図３】図１中のＩＩＩ矢視図である。
【図４】図１中のＩＶ−ＩＶ線断面図である。
【図５】図１中のＶ−Ｖ線断面図である。
【図６】本発明の第１実施形態によるスピードメータＳの電気回路構成図である。
【図７】本発明の第２実施形態によるスピードメータＳの指針７の断面図である。
【符号の説明】
【００５８】
１    コンビネーションメータ（指針計器）
２    文字盤
２ａ    数字
２ｂ    目盛
２ｃ    表面
２ｄ    貫通孔
３    導光板
３ａ    受光部
３ｂ    出射面
３ｃ    反射面
４    発光ダイオード（光源）
５    プリント基板
６    ムーブメント
６ａ    シャフト
７    指針
７ａ    底面
７ｂ    側面
７ｃ    ボス部
７ｄ    装飾手段
７ｆ    反射面
１０    コントローラ
１１    ケーシング
１２    見返し板
１３    透明カバー
１４    ロアカバー
１５    エンジン回転センサ
１６    イグニッションスイッチ
１７    バッテリ
Ｋ    掃引領域
Ｍ    中断部
Ｒ    赤色着色層（反射手段、拡散反射層、着色層）
Ｓ    スピードメータ（指針計器）
Ｔ    凹部（反射手段、拡散反射層、着色層）
Ｙ    透光性黄色着色層（透光性着色層）
【図１】
2008209351.tif 000003
【図２】
2008209351.tif 000004
【図３】
2008209351.tif 000005
【図４】
2008209351.tif 000006
【図５】
2008209351.tif 000007
【図６】
2008209351.tif 000008
【図７】
2008209351.tif 000009